(57)【要約】【課題】同一のサイズの絶縁本体１０が二種類の規格に転換され、製造コストを有効に減少させ、且つその規格の転換は簡単になる簡易転換プラグ構造を提供する。【解決手段】前端に複数の端子溝１２が設けられる絶縁本体１０と、上記の端子溝１２の中に設けられる複数の端子２０と、必要に応じて移動し調整され、絶縁本体１０上にマッフカップリングされる転換部材３０とを備える。【選択図】図１
0003106415.tif 000002
【実用新案登録請求の範囲】
【請求項１】
前端に複数の端子溝が設けられる絶縁本体と、上記端子溝の中にそれぞれ設けられる複数の端子と、必要に応じて移動し調整され、絶縁本体上にマッフカップリングされる転換部材とを備えることを特徴とする簡易転換プラグ構造。
【請求項２】
絶縁本体の後端内に導線が挿入され、該導線は、前記端子と電気的接続がなされることを特徴とする請求項１記載の簡易転換プラグ構造。
【請求項３】
絶縁本体の後端は様々な異なる用途のコネクタと接続でき、該コネクタは、前記端子と電気的接続がなされることを特徴とする請求項１記載の簡易転換プラグ構造。
【請求項４】
絶縁本体の後端は様々な異なる用途のプラグと接続でき、該プラグは、前記端子と電気的接続がなされることを特徴とする請求項１記載の簡易転換プラグ構造。
【請求項５】
絶縁本体の後端は様々な異なる用途のコンセントと接続でき、該コンセントは、前記端子と電気的接続がなされることを特徴とする請求項１記載の簡易転換プラグ構造。
【請求項６】
転換部材と絶縁本体との間に位置決め機構が設けられ、該転換部材を第１の位置及び第２の位置に位置決めさせることを特徴とする請求項１記載の簡易転換プラグ構造。
【請求項７】
位置決め機構は、絶縁本体の中間及び後端側に設けられる位置決め溝と、転換部材の前端及び後端側に設けられる位置決め体とより形成され、この転換部材が第１の位置にあるとき、転換部材の位置決め体は、絶縁本体の中間及び後端側の位置決め溝に係合され、この転換部材が第２の位置にあるとき、転換部材の位置決め体は、絶縁本体の中間の位置決め溝及び前端側に係合されることを特徴とする請求項６記載の簡易転換プラグ構造。
【請求項８】
転換部材は、主体及び左、右の両アームを備え、この主体上に筒型継ぎ孔が設けられ、この転換部材は筒型継ぎ孔にて絶縁本体にマッフカップリングされることを特徴とする請求項１記載の簡易転換プラグ構造。
【請求項９】
内部に導線が貫通されるコネクタを設け、このコネクタの前部には複数の線溝が設けられ、それらの導線はコネクタの後端より挿入並びに線溝内部に置かれ、コネクタは絶縁本体の後端より挿入され、このコネクタと連動して導線を絶縁本体内部に伸び入れ、並びにコネクタを絶縁本体内部に固定させ、前記端子を端子溝内部に押し入れて、これらの導線と電気的接続出来ることを特徴とする請求項１記載の簡易転換プラグ構造。
【請求項１０】
絶縁本体の外側に部材が設けられ、コネクタの外側に安全カバーを設け、このコネクタと絶縁本体とが結合される際、この安全カバーが絶縁本体の部材外部に嵌設されることを特徴とする請求項９記載の簡易転換プラグ構造。
【請求項１１】
コネクタ後端には位置決め点が設けられ、転換部材が位置決め点で係止、位置決めを行うことを特徴とする請求項９記載の簡易転換プラグ構造。
【請求項１２】
転換部材は、コネクタに枢接されることを特徴とする請求項９記載の簡易転換プラグ構造。
【請求項１３】
転換部材は、絶縁本体に枢接されることを特徴とする請求項１記載の簡易転換プラグ構造。
【請求項１４】
前端に複数の端子溝が設けられる絶縁本体と、上記端子溝の中にそれぞれ設けられる複数の端子と、必要に応じて移動し調整され、絶縁本体上にマッフカップリングされる転換部材と、絶縁本体と転換部材の間に介在させ、転換部材を弾性的に絶縁本体上にマッフカップリングさせる弾性部品とを備えることを特徴とする簡易転換プラグ構造。 
【考案の詳細な説明】
【技術分野】
【０００１】
本考案は、簡易転換プラグ構造に係わるもので、とくに、電気的に複数の導線を接続するプラグに適応し、必要に応じて異なる規格に転換できる簡易転換プラグ構造に関するものである。
【背景技術】
【０００２】
図２０（ａ）及び図２０（ｂ）に示したように、従来の電気的に複数の導線を接続するプラグが示され、このプラグはコンピュータ或は電話回線の接続に適用でき、絶縁本体１０ａの外側に係合位置決めの機能を持つ部材１１ａが設けられ、絶縁本体１０ａの内側に複数の端子１２ａが設けられ、端子１２ａは縦向きに短距離を移動できる。複数の導線２０ａがプラグと接続しようとするとき、導線２０ａが絶縁本体１０ａの後端を経由して挿入され、導線２０ａを絶縁本体１０ａ内に伸び入らせ、その後、端子１２ａで導線２０ａを突き破り、端子１２ａと導線２０ａの内部導体とが電気的に接続されることになる。
【考案の開示】
【考案が解決しようとする課題】
【０００３】
しかし、上記の従来のプラグは、規格が異なるとき、絶縁本体１０ａが異なる幅ａ、ｂを備え、また、絶縁本体のサイズが固定されるので、普通は単一の規格のみ適用され、絶縁本体は同時に６ピン及び８ピンのような規格に適応出来なく、メーカが異なる規格のプラグを製造することが必要になって、新たに金型を作り異なるサイズの絶縁本体を製造しなければならないため、その分に製造コストの増加になる。
【０００４】
そこで、上記の通りで分かるように、上記の従来のプラグ構造は、実際の使用上に、不便と欠点が明らかにあるため、改善を待たれている。
【０００５】
このため、本考案者は上記の欠点の改善に鑑み、とくに研究に専念し並びに理論の運用に合わせ、ようやく合理的な設計構造を有し且つ上記の欠点を有効に改善できる本考案を提出した。
【０００６】
本考案の主な目的は、同一のサイズの絶縁本体が二種類の規格に転換され、製造コストを有効に減少させ、且つその規格の転換が簡単になる簡易転換プラグ構造を提供することである。
【課題を解決するための手段】
【０００７】
上記の目的を達する為に、本考案は、前端に複数の端子溝が設けられる絶縁本体と、上記の端子溝の中にそれぞれ設けられる複数の端子と、必要に応じて移動し調整され、絶縁本体上にマッフカップリングされる転換部材とを備えるものである。
【０００８】
絶縁本体の後端内に導線が挿入され、該導線は、前記端子と電気的接続がなされるものである。
【０００９】
絶縁本体の後端は様々な異なる用途のコネクタと接続でき、該コネクタは、前記端子と電気的接続がなされるものである。
【００１０】
絶縁本体の後端は様々な異なる用途のプラグと接続でき、該プラグは、前記端子と電気的接続がなされるものである。
【００１１】
絶縁本体の後端は様々な異なる用途のコンセントと接続でき、該コンセントは、前記端子と電気的接続がなされるものである。
【００１２】
転換部材と絶縁本体との間に位置決め機構が設けられ、該転換部材を第１の位置及び第２の位置に位置決めさせるものである。
【００１３】
位置決め機構は、絶縁本体の中間及び後端側に設けられる位置決め溝と、転換部材の前端及び後端側に設けられる位置決め体とより形成され、この転換部材が第１の位置にあるとき、転換部材の位置決め体は、絶縁本体の中間及び後端側の位置決め溝に係合され、この転換部材が第２の位置にあるとき、転換部材の位置決め体は、絶縁本体の中間の位置決め溝及び前端側に係合されるものである。
【００１４】
転換部材は、主体及び左、右の両アームを備え、この主体上に筒型継ぎ孔が設けられ、この転換部材は筒型継ぎ孔にて絶縁本体にマッフカップリングされるものである。
【００１５】
内部に導線が貫通されるコネクタを設け、このコネクタの前部には複数の線溝が設けられ、それらの導線はコネクタの後端より挿入並びに線溝内部に置かれ、コネクタは絶縁本体の後端より挿入され、このコネクタと連動して導線を絶縁本体内部に伸び入れ、並びにコネクタを絶縁本体内部に固定させ、前記端子を端子溝内部に押し入れて、これらの導線と電気的接続出来るものである。
【００１６】
絶縁本体の外側に部材が設けられ、コネクタの外側に安全カバーを設け、このコネクタと絶縁本体とが結合される際、この安全カバーが絶縁本体の部材外部に嵌設されるものである。
【００１７】
コネクタ後端には位置決め点が設けられ、転換部材が位置決め点で係止、位置決めを行うものである。
【００１８】
転換部材は、コネクタに枢接されるものである。
【００１９】
転換部材は、絶縁本体に枢接されるものである。
【００２０】
前端に複数の端子溝が設けられる絶縁本体と、
上記端子溝の中にそれぞれ設けられる複数の端子と、
必要に応じて移動し調整され、絶縁本体上にマッフカップリングされる転換部材と、
絶縁本体と転換部材の間に介在させ、転換部材を弾性的に絶縁本体上にマッフカップリングさせる弾性部品とを備えるものである。
【考案の効果】
【００２１】
メーカが二種類の異なる規格のプラグを製造しようとする際、新たに異なるサイズの絶縁本体の型を作る必要がないため、製造コストは有効に減少し、且つ規格の転換はかなり簡単になる。
【考案を実施するための最良の形態】
【００２２】
本考案の特徴とその技術内容をさらに詳細的で具体的に説明するために、以下に添付図面を参照しながら、本考案の具体的な実施の形態を詳細的に説明するが、それらの説明と図面に開示される具体的な構成は本考案の主張範囲を狭義的に局限するものではないことは言うまでもないことである。
【００２３】
図１及び図２を参照すると、本考案は、絶縁本体１０と、複数の端子２０と、転換部材３０とを含む簡易転換プラグ構造を提供するもので、その中には、この絶縁本体１０は、プラスチック等の絶縁材料により作られ、絶縁本体１０内部は中空状に形成され、その外側に係合位置決めを持つ部材１１が設けられ、絶縁本体１０前端に複数の端子溝１２が設けられ、この端子溝１２は絶縁本体１０上に同ピッチで設置され、端子溝１２が絶縁本体１０内部と連通され、また、端子溝１２の設置数量は限定されない。この絶縁本体１０は、両側の中間及び後端に対して位置決め溝１３がそれぞれ設けられ、この転換部材３０を位置決めさせる。
【００２４】
端子２０は、銅等の導電気的材料によって作られ、それぞれ絶縁本体１０の端子溝１２内に設けられ、端子２０は、導線４０と電気的接続を行う為、それぞれシャープな穿き破れ端（図を省略）が備えられるが、端子２０の設置数量は限定されない。
【００２５】
転換部材３０は、プラスチック等の絶縁材料により作られ、主体３１及び左、右の両アーム３２を備え、主体３１はほぼ長方体を示し、この主体３１の幅は絶縁本体１０の幅よりも広く、主体３１上に絶縁本体１０に対応する筒型継ぎ孔３３が開設される。両アーム３２は、主体３１の左、右両端に接続して一体に成形され、両アーム３２の前端及び後端には、絶縁本体１０の両側の位置決め溝１３に係り合える内向きに突き出した位置決め体３４がそれぞれ形成される。
【００２６】
転換部材３０は、筒型継ぎ孔３３で絶縁本体１０上にマッフカップリングされ、この転換部材３０を絶縁本体１０上に移動可能に設置させるため、転換部材３０は、第１の位置及び第２の位置間に移動でき、転換部材３０が後方向に押さえられ第１の位置に位置するとき（図２及び図３のように）、両アーム３２の位置決め体３４は、絶縁本体１０の両側の中間及び後端側の位置決め溝１３に係合され、よって位置決め機構が形成され、転換部材３０が絶縁本体１０の後半部位置に安定して位置決めされることになる。
【００２７】
転換部材３０が前に押さえられ第２の位置に位置するとき（図４のように）、両アーム３２の位置決め体３４は、絶縁本体１０の両側中間の位置決め溝１３及び両側前端に係合され、転換部材３０が絶縁本体１０の前半部位置に安定して位置決めされることになり、上記の構成により本考案の簡易転換プラグ構造が形成される。
【００２８】
導線４０は、絶縁本体１０の後端を経由してその内側に挿入され、端子２０の穿き破れ端で導線４０を突き破り、これらの端子２０とこれらの導線４０の内部導体との電気的接続がなされ、このように本考案の簡易転換プラグ構造は、端子２０を導線４０に電気的接続させることが出来る。
【００２９】
本考案は、主に絶縁本体１０の外部に転換部材３０がマッフカップリングされ、この転換部材３０は、必要に応じて移動、調整にされる。転換部材３０が後方向に押さえられ第１の位置に位置するとき、プラグの前半部は、対応のコンセントに差し込まれるため（図３のように）、比較的小さな規格で形成される。転換部材３０が前に押さえられ第２の位置に位置するとき、転換部材３０は絶縁本体１０の前半部にマッフカップリングされ、プラグの前半部の幅が増加されるため、比較的大きな規格となり、もう一方の比較的大きな規格のコンセントに差し込まれる（図４のように）。
【００３０】
そのため、本考案は、転換部材３０の移動により異なる規格サイズのプラグに転換し、同一規格サイズの絶縁本体１０は二種類の規格のプラグに転換出来、同時に異なる規格のプラグに応用しまた異なる規格のコンセントに差し込むことが出来、メーカが二種類の異なる規格のプラグを製造しようとする際、新たに異なるサイズの絶縁本体の型を作る必要がないため、製造コストは有効に減少し、且つ規格の転換はかなり簡単になる。
【００３１】
また、図５に示すように、本考案の絶縁本体１０の後端は、ＵＳＢコネクタ５０にも接続でき、これらの端子２０がＵＳＢコネクタ５０内の端子と電気的接続に達し、このＵＳＢコネクタ５０は転接部品に形成される。このＵＳＢコネクタ５０はメス型（図５のように）或はオス型（図６のように）とされる。このＵＳＢコネクタ５０は、また各種様々な用途のコネクタ或はプラグ、コンセントで代わって使用出来る。
【００３２】
さらに、図７から図１０に示すように、本考案の絶縁本体１０と転換部材３０の形状及び構造も異なる変化ができ、この転換部材３０は、絶縁本体１０上にマッフカップリングされ、第１の位置及び第２の位置の間を移動出来る（図９及び図１０のように）。本実施例は、主に更にプラスチック等の材料で作られ、内部に導線（図を省略）が貫通できるコネクタ６０を設け、コネクタ６０の前部には複数の線溝６１が設けられ、それらの導線はコネクタ６０の後端より挿入並びに線溝６１内部に置かれ、それらの導線を先ずコネクタ６０に接続させ、後に再びコネクタ６０は絶縁本体１０の後端より挿入され、このコネクタ６０と連動して導線を絶縁本体１０内部の前端に伸び入れ、並びにコネクタ６０を絶縁本体１０内部に係合、固定させ、コネクタ６０と絶縁本体１０とが一体に結合され、そして端子２０を端子溝１２内部に押し入れて、端子２０の穿き破れ端で導線を穿き破り、これらの端子２０とこれらの導線内部の導体とは電気的接続することになる。
【００３３】
さらに、図１１から図１４に示すように、本考案の絶縁本体１０と転換部材３０の形状及び構造についても異なる変化をし得るが、この転換部材３０は絶縁本体１０にマッフカップリングし、第１の位置及び第２の位置間を移動出来る（図１３及び図１４図のように）。本実施例は、主にコネクタ６０の外側に安全カバー６２を設け、このコネクタ６０と絶縁本体１０とが結合される際、この安全カバー６２が絶縁本体１０の部材１１外部に嵌め設けられ、安全カバー６２にて保護の機能を提供し、部材１１がほかの物品にぶつかったり、掛けられたりなどによって折れることを避ける為であるので、部材１１ないしプラグ全体の使用寿命が大幅に増加される。また、コネクタ６０後端には位置決め点６３が設けられ、転換部材３０が第１位置にある際、位置決め点６３で係止、位置決めを行う。
【００３４】
また、図１５に示すように、本考案の絶縁本体１０の両側には収納溝１４が設けられ、収納溝１４内に各一つの弾性部品７０が収納され、弾性部品７０の両端はそれぞれ絶縁本体１０と転換部材３０に当接し、二つの弾性部品７０を絶縁本体１０と転換部材３０の間に介在させ、転換部材３０を弾性的に絶縁本体１０上にマッフカップリングさせ、必要に応じて自動的に移動調整できる。
【００３５】
プラグが比較的小さな規格のコンセントに差し込まれる際、コンセントの差込口外縁は転換部材３０を後ろ向きに押して第１位置に到達させ、プラグの前半部は比較的小さい規格になり、対応のコンセントに差し込まれる。プラグが比較的大きな規格のコンセントに差し込まれる際、転換部材３０はコンセントの差込口中に落ち込み、コンセントの差込口外縁は転換部材３０に当接できなく、且つ転換部材３０は弾性部品７０により第２位置へ前に向かって押させられ、転換部材３０を絶縁本体１０の前半部にマッフカップリングさせ、プラグの前半部の幅が増加され、比較的大きなコンセントに差し込まれる。
【００３６】
さらに、図１６に示すように、本考案の絶縁本体１０の後端もＩＥＥＥ１３９４コネクタ８０に接続され、端子２０がＩＥＥＥ１３９４コネクタ８０内の端子と電気的接続になり、ＩＥＥＥ１３９４コネクタ８０は転接部品に形成できる。
【００３７】
また、図１７から図１８に示すように、本考案の転換部材３０はまた絶縁本体１０上に枢接の方式でマッフカップリングされ、転換部材３０は必要に応じて移動調整にされ、つまり転換部材３０の左、右両側の後端よりの部分には各凹点状の第１の枢接部３５が設けられ、且つ絶縁本体１０の左、右両側の後端よりの部分には対応の凸点状の第２の枢接部１５が設けられ、第１枢接部３５及び第２枢接部１５は相互に枢接して配合し、転換部材３０が絶縁本体１０上に取り上げ可能な形で枢接される。
【００３８】
プラグが比較的小さな規格のコンセントに差し込まれた際、転換部材３０を上向きに提起し、プラグの前半部が比較的小さな規格で形成され、対応のコンセントに差し込まれる。プラグが比較的大きな規格のコンセントに差し込まれた際、転換部材３０が絶縁本体１０の前半部にマッフカップリングされ、プラグの前半部の幅が増加され、比較的大きなコンセントに差し込まれる。
【００３９】
また、図１９に示すように、本考案の転換部材３０も、絶縁本体１０上に枢接の方式でマッフカップリングされ、転換部材３０が必要に応じて移動調整にされ、つまり転換部材３０の左、右両側の後端よりの部分には各凸点状の第３の枢接部３６が設けられ、且つコネクタ６０左、右両側の後端よりの部分には対応の凹点状の第４の枢接部１６が設けられ、この第３の枢接部３６及び第４の枢接部１６は相互に枢接して配合し、転換部材３０はコネクタ６０上に取り上げ可能な形で枢接される。
【００４０】
本考案はごく珍しい創作であり産業上の利用可能性、新規性及び進歩性を備えており、十分に実用新案登録の要件を満たしている。
【００４１】
また、前記に開示されたそれぞれの具体的な構成は、単に本考案の実施可能な好ましい実施例に過ぎなく、本考案の請求範囲を局限するものではなく、総じて本考案の説明書及び図で示した内容等を運用するもので遂げる同等の構造変化は、同様に本考案の範囲内に於いて含まれる。
【図面の簡単な説明】
【００４２】
【図１】本考案の第１の実施例の分解斜視図である。
【図２】本考案の第１の実施例の斜視図である。
【図３】本考案の第１の実施例の使用状態の斜視図である。
【図４】本考案の第１の実施例のもう一つの使用状態の斜視図である。
【図５】本考案の第２の実施例の分解斜視図である。
【図６】本考案の第２の実施例のもう一つ形の斜視図である。
【図７】本考案の第３の実施例の分解斜視図である。
【図８】本考案の第３の実施例のもう一つ角度の分解斜視図である。
【図９】本考案の第３の実施例の斜視図である。
【図１０】本考案の第３の実施例のもう一つの使用状態の斜視図である。
【図１１】本考案の第４の実施例の分解斜視図である。
【図１２】本考案の第４の実施例のもう一つ角度の分解斜視図である。
【図１３】本考案の第４の実施例の斜視図である。
【図１４】本考案の第４の実施例のもう一つの使用状態の斜視図である。
【図１５】本考案の第５の実施例の斜視図である。
【図１６】本考案の第６の実施例の分解斜視図である。
【図１７】本考案の第７の実施例の分解斜視図である。
【図１８】本考案の第７の実施例の斜視図である。
【図１９】本考案の第８の実施例の分解斜視図である。
【図２０】図２０（ａ）は、従来のプラグの斜視図であり、図２０（ｂ）は、従来のもう一つの規格のプラグの斜視図である。
【符号の説明】
【００４３】
１０        絶縁本体
１１        部材
１２        端子溝
１３        位置決め溝
１４        収納溝
１５        第２枢接部
１６        第４の枢接部
２０        端子
３０        転換部材
３１        主体
３２        アーム
３３        筒型継ぎ孔
３４        位置決め体
３５        第１の枢接部
３６        第３の枢接部
４０        導線
５０・６０  コネクタ
６１        線溝
６２        安全カバー
６３        位置決め点
７０        弾性部品
８０        コネクタ
【図１】
0003106415.tif 000003
【図２】
0003106415.tif 000004
【図３】
0003106415.tif 000005
【図４】
0003106415.tif 000006
【図５】
0003106415.tif 000007
【図６】
0003106415.tif 000008
【図７】
0003106415.tif 000009
【図８】
0003106415.tif 000010
【図９】
0003106415.tif 000011
【図１０】
0003106415.tif 000012
【図１１】
0003106415.tif 000013
【図１２】
0003106415.tif 000014
【図１３】
0003106415.tif 000015
【図１４】
0003106415.tif 000016
【図１５】
0003106415.tif 000017
【図１６】
0003106415.tif 000018
【図１７】
0003106415.tif 000019
【図１８】
0003106415.tif 000020
【図１９】
0003106415.tif 000021
【図２０】
0003106415.tif 000022